(57)【要約】【課題】折り畳み可能とすることが出来ると共に、Ｘ線等の浸入を防止できる。複数段に分けるので断裂することがない。ポケット内の機能性素材シートを出せば断裂させることなく防護服を洗濯することが出来る防護服を得る。【解決手段】上下に複数の機能性素材シートを挿入する複数段のポケットを有し、これらポケット内にそれぞれ機能性素材シート上下間に隙間が生じないように重ね合わせて収納するようにし、前記上下複数の機能性素材シートは身体側と逆方向へ各々折り曲げ可能とし、該機能性素材シートは左右複数の機能性素材からなり、各機能性素材を内蔵するシート体の重なり合う外部分を縫い合わせて、これら機能性素材間に隙間が生じないよう、かつ身体前面左右を覆うように屈曲可能とした。【選択図】図２
2019094602.tif 000002
【特許請求の範囲】
【請求項１】
上下に複数の機能性素材シートを挿入する複数段のポケットを有し、これらポケット内にそれぞれ機能性素材シート上下間に隙間が生じないように重ね合わせて収納するようにし、前記上下複数の機能性素材シートは身体側と逆方向へ折り曲げ可能にした折り畳み可能な防護服。
【請求項２】
前記各機能性素材シートは左右複数の機能性素材からなり、複数の機能性素材は左右辺が重なり合うように構成し、各機能性素材を内蔵するシート体の重なり合う外部側端を縫い合わせて、これら機能性素材間に隙間が生じないよう、かつ身体前面左右を覆うように屈曲するようにした前記請求項１記載の折り畳み可能な防護服。
【発明の詳細な説明】
【発明の詳細な説明】
【技術分野】
【０００１】  本発明は、Ｘ線遮蔽・電磁波遮蔽・防弾チョッキ等・その他の身体を守る素材を有する蔽に有効な折畳み可能とした防護服に関するものである。
【背景技術】
【０００２】  従来の防護服は、防護服の略全面に渡り塩化ビニール金属粉末を混ぜてシート状にした防護素材シートを張り合わせており、したがって、金属粉末が混ざっているので重いから腰に巻きつけて腹部で固定するようにしていう防護服が多い。このような防護服は塩化ビニール自体が重く、また曲げると（折ると）防護素材が断裂するため、洗濯することが出来ず、不使用時には専用のハンガーに吊るしておかなければならない。
【背景技術】
【０００３】  例えば、特許文献１において、「上側に重ね合わされる前身頃２は、放射線防護衣１のウェストないし腰の位置において該前身頃２の縦端縁の基本ライン２ａから横方向に張り出す張り出し部２ｂを備え、かつ、放射線防護衣１のウェストラインないし腰の位置において、上側に重ね合わされる前身頃２の縦端縁の基本ライン２ａから脇部６側に向けて所定長さ延びる領域の内面と、張り出し部２ｂの内面とに、面ファスナー１０を備える放射線防護衣」が開示され、「重ね合わされた前身頃の面ファスナーによる貼り付け、固定が確実であるとともに着脱が容易であること、さらには、コート型の放射線防護衣におけるベルト（防護衣の上から絞めるアウターベルト）及びその使用を不要とする」旨説明されている。【０００４】  しかしながら、特許文献１の防護素材が曲げ続けられると亀裂を生じる恐れがあり、保管状況によっては複数の亀裂により身体に防護素材に全く覆われていない部分が発生する恐れもある。したがって、使用時に断裂して防護機能を果たすことが出来ない素材である。また、不使用時に折畳むことができない。したがって、本発明の如く、隙間が開かないように身体の横に折り曲げ可能な防護素材を挿入するポケットを上下に複数段設け、それぞれの上下のポケット間で隙間が開かないように身体に装着でき、さらに使用後装着時と逆に折畳み可能とした防護服について一切記載はなく示唆もない。【０００５】  例えば、特許文献２において、「基材に直接めっきされた錫の厚みが５５μｍ以上、６５μｍ以下、又は錫の単位面積当たりの重量が２６．５ｇ／ｄｍ２以上２９．３ｇ／ｄｍ２以下であることを特徴とするＸ線防護材料」が記載され、「Ｘ線等の放射線に対する防護材料を改良し放射線の遮蔽性能に優れるとともに軽量性、柔軟性、環境安全性に優れた放射線遮蔽材料およびその製造方法と、これを利用した防護服や間仕切りスタンドを提供する」旨説明されている。【０００６】  しかしながら、この特許文献２においては、  防護素材間のすき間や体の動きにより、防護素材に覆われていない部分が発生することがあるため、使用時に防護機能を果たすことが出来ない構造である。また、不使用時に折畳むことができない。したがって、本発明の如く、通隙間が開かないように身体の横に折り曲げ可能な防護素材を挿入するポケットを上下に複数段設け、それぞれの上下のポケット間で隙間が開かないように身体に装着でき、さらに使用後装着時と逆に折畳み可能とした防護服について一切記載はなく示唆もない。【０００７】
【特許文献１】特開２０１２−１３２１２７号公報
【特許文献１】特開２０１７−００３５７６号公報
【発明が解決しようとする課題】
【０００８】  本発明は、隙間が開かないように身体の前に沿って折り曲げ可能な防護素材を挿入するポケットを上下に複数段設け、それぞれの上下のポケット間で隙間が開かないように身体に装着でき、さらに使用後装着時と逆に折畳み可能とした防護服が望まれる。
【課題を解決する手段】
【０００９】  請求項１の発明は、上下に複数の機能性素材シートを挿入する複数段のポケットを有し、これらポケット内にそれぞれ機能性素材シート上下間に隙間が生じないように重ね合わせて収納するようにし、前記上下複数の機能性素材シートは身体側と逆方向へ折り曲げ可能にした折り畳み可能な防護服を提供するものである。
【００１０】  この発明においては、Ｘ線等の浸入を防止できると共に、折り畳み可能とすることが出来る。複数段に分けるので断裂することがない。また、ポケット内の機能性素材シートを出せば断裂させることなく防護服を洗濯することが出来る。前記ポケットの数・形、サイズは製品により異なり制限はない。また、ポケットの入口は出し入れができるように開いた製品も、出し入れ出来ないように閉じた製品であっても良い。
【００１１】  また、請求項２の発明は、前記各機能性素材シートは左右複数の機能性素材からなり、複数の機能性素材は左右辺が重なり合うように構成し、各機能性素材を内蔵するシート体の重なり合う外部側端を縫い合わせて、これら機能性素材間に隙間が生じないよう、かつ身体前面左右を覆うように屈曲するようにした前記請求項１記載の折り畳み可能な防護服。を提供するものである。
【００１２】  この発明においては、Ｘ線等の浸入を身体前面左右を覆うように屈曲させて、Ｘ線が散乱しても身体の前面から側面にかけてＸ線等の浸入を防止できる。
【発明を実施するための形態】
【００１３】  以下に本発明の一実施形態を図面に基づき説明する。図１に示す如く、通常ウインドブレーカー等に使用される、主にナイロンやポリエステル、木綿等からなる破水・透湿生地からなる防護服１は、ショルダーベルト２により肩にかけて装着バンド３により腰側に締めて身体全面に装着するようにしている。図２、図３、図４、図５に示すように、この防護服１は上下に複数の機能性素材シート４、４、４を挿入する複数段のポケット５、５、５を有し、これらポケット５、５、５内にそれぞれ機能性素材シート４、４、４上下辺がピッタリと縫合部６、６において重合部分Ｓ，Ｓを形成して隙間が生じないように収納固定するようにして身体側Ｘ、Ｘ方向へは曲がらず、図１１〜１４に示すように、上下複数の機能性素材シート４，４，４を有する防護服１を逆に身体側と逆方向Ｙ，Ｙ方向へ曲げると重合部分Ｓ，Ｓが開き防護服全体を折り畳み可能としている。図２、図３、図５に示すＵは、防護服１のポケット５、５、５部分近傍側縁の機能性素材シート１の重なり状態を示す。
【００１４】  従って、機能性素材シート４、４、４の上下辺で重合部分Ｓ，Ｓを形成して隙間が生じないので身体側へＸ線等の浸入を防止できると共に、逆に身体側と逆方向Ｙ，Ｙ方向へ曲げると重合部分Ｓ，Ｓが開き折り畳み可能となる。また、機能性素材シート４，４，４は防護服の上下に複数段に分割して設け、上下全体に一体的に設けるもの（先行特許文献２）と異なり機能性素材シート４，４，４の断裂を抑制できる。また、機能性素材シート２、２、２をポケット３、３、３内から出せば防護服１を断裂させることなく洗濯することが出来る。前記ポケットの入口は出し入れができるように開いた製品でも、出し入れ出来ないように閉じた製品であっても良い。
【００１５】  図６〜図１０に示す如く、前記各機能性素材シート４、４、４は身体の左右方向に複数の機能性素材７、７、７を内蔵しており、これら機能性素材７、７、７の辺が縫合部８、８において重合部分Ｒ，Ｒを形成して隙間が生じないようにしてＸ線等の浸入を防止するように縫い合わされている。そりて、図１及び図９に示すように、防護服１を装着バンド３により腰に締めて身体全面に装着して使用時、身体側Ｔ、Ｔ方向へ若干折り曲がりＸ線の乱反射が生じても身体の側面をもＸ線の浸入を防止するようにしている。  図６、図７、図１０に示す如く、前記前記機能性素材７、７、７を内蔵する機能性素材シート４はシート周囲全体が縫合部８・・・で縫い合わせられ、特に各機能性素材７、７、７を内蔵するシート体の重なり合う外部分Ｚ・・・も縫合部８・・・において縫い合わされている。したがって、身体前面左右を覆うように身体側Ｔ、Ｔ方向へ折り曲げても隙間が生じない。
【発明の効果】
【００１６】  上記の如く本発明においては、Ｘ線等の浸入を防止できると共に、折り畳み可能とすることが出来る。複数段に分けるので断裂することがない。また、ポケット内の機能性素材シートを出せば断裂させることなく防護服を洗濯することが出来る。
【００１７】  また、この発明においては、Ｘ線等の浸入を身体前面左右を覆うように屈曲させて、Ｘ線が散乱しても身体の前面から側面にかけてＸ線等の浸入を防止できる。
【図面の簡単な説明】
【００１８】
【図１】  防護服を装着した状態の図面代用写真、
【図２】  防護服の身体に接する側面の図面代用写真、
【図３】  図２のＩ―Ｉ線断面図、
【図４】  図３の身体側Ｘと逆方向Ｙ，Ｙ方向へ曲げ折り畳み可能な状態を示す説明図、
【図５】  機能性素材シートの重なり状態を示す防護服ポケット部分近傍の説明図、
【図６】  機能性素材シートの平面図面代用写真、
【図７】  内部に機能性素材を有する機能性素材シートの平面図、
【図８】  図６のＩＩ―ＩＩ線断面図、
【図９】  図８の機能性素材シートを身体側Ｔへ屈曲させた状態を示す説明図、
【図１０】  各機能性素材を内蔵するシート体の重なり合う外部分Ｚの図面代用写真、
【図１１】  防護服右側の折り畳み部分を持ち上げた図面代用写真、
【図１２】  防護服右側折畳んだ状態を示す図面代用写真
【図１３】  防護服左側の折り畳み部分を持ち上げた図面代用写真、
【図１４】  防護服左側折畳んだ状態を示す図面代用写真。
【符号の説明】１            防護服
３            装着バンド
４            機能性素材シート
５            ポケット
６            縫合部
７            機能性素材
８            縫合部
Ｒ            重合部分
Ｓ            重合部分
Ｔ            身体側
Ｘ            身体側
Ｙ            身体側と逆方向
【図１】
2019094602.tif 000003
【図２】
2019094602.tif 000004
【図３】
2019094602.tif 000005
【図４】
2019094602.tif 000006
【図５】
2019094602.tif 000007
【図６】
2019094602.tif 000008
【図７】
2019094602.tif 000009
【図８】
2019094602.tif 000010
【図９】
2019094602.tif 000011
【図１０】
2019094602.tif 000012
【図１１】
2019094602.tif 000013
【図１２】
2019094602.tif 000014
【図１３】
2019094602.tif 000015
【図１４】
2019094602.tif 000016